(57)【要約】【課題】  複数の収容部内に収容した食品を使用に応じて任意に取り出すことのできる食品用パッケージを提供すること。【解決手段】  複数の収容部１４を接続部１５で接続して形成されたパッケージ本体１２と、それを閉塞するシール状の蓋部１３からなる食品用パッケージ１０の接続部１５に収容部分離用切込線１８を形成し、蓋部１３における収容部分離用切込線１８に対応する部分に蓋切断用切込線２１を設けた。また、蓋部１３の蓋切断用切込線２１で区切られた各部分の一方の縁部に各収容部１４を開封するための非接着部２４を設け、蓋部１３の他方の縁部にパッケージ本体１２全体を開封するための非接着部２５を設けた。さらに、蓋切断用切込線２１の一方側端部と収容部分離用切込線１８の一方側端部とに切欠き部１７，１９を形成した。また、蓋部１３の外周部１３ａの厚みを他の部分よりも厚くした。【選択図】  図９
2007022635.tif 000002
【特許請求の範囲】
【請求項１】
上面が開口した複数の収容部の開口縁部を、接続部を介して接続することにより、前記複数の収容部を一列に並べて形成したパッケージ本体と、前記パッケージ本体の外周縁部および前記接続部に貼り付けられて前記複数の収容部をそれぞれ閉塞するシール状の蓋部とからなり、前記蓋部を前記パッケージ本体から剥離することにより、前記パッケージ本体の各収容部を開封できる食品用パッケージであって、
前記蓋部における前記接続部に対応する部分に、前記蓋部を各収容部に対応する部分ごとに区切る蓋切断用切込線を設けるとともに、前記蓋部における前記蓋切断用切込線で区切られた各部分の一方の縁部に、前記パッケージ本体の外周縁部に貼り付けられてない部分剥離開始部をそれぞれ設けて、前記部分剥離開始部を、前記パッケージ本体から引っ張ることにより、各収容部を開封できるようにし、前記蓋部における他方の縁部に、前記パッケージ本体の外周縁部に貼り付けられてない全体剥離開始部を設けて、前記全体剥離開始部を前記パッケージ本体から引っ張ることにより、前記パッケージ本体全体を開封できるようにしたことを特徴とする食品用パッケージ。
【請求項２】
前記接続部における前記蓋部の蓋切断用切込線に対応する部分に、収容部分離用切込線を設けて、所定の収容部を前記パッケージ本体における他の部分から分離可能にした請求項１に記載の食品用パッケージ。
【請求項３】
前記蓋部における前記蓋切断用切込線の一方の端部側部分および前記接続部における前記収容部分離用切込線の一方の端部側部分の少なくとも一方に切欠き部を形成した請求項２に記載の食品用パッケージ。
【請求項４】
前記蓋部における外周部の厚みを前記蓋部の他の部分の厚みよりも厚くした請求項１ないし３のうちのいずれか一つに記載の食品用パッケージ。
【請求項５】
前記蓋切断用切込線を断続的に形成されたミシン目の切込線で構成し、前記切込線の切れ目部分が前記蓋部における外周部の肉厚部と他の薄肉部分とにかかるようにした請求項４に記載の食品用パッケージ。
【請求項６】
前記蓋部における前記部分剥離開始部の近傍に前記部分剥離開始を引っ張る際の方向を示す矢印を施すとともに、前記蓋部における前記全体剥離開始部の近傍に前記全体剥離開始部を引っ張る際の方向を示す矢印を施した請求項１ないし５のうちのいずれか一つに記載の食品用パッケージ。
【請求項７】
前記食品用パッケージが麺食品を収容するための平面視が四角状の容器であり、前記パッケージ本体が、長細く形成された複数の収容部を長手方向の縁部を前記接続部で接続して形成されている請求項１ないし６のうちのいずれか一つに記載の食品用パッケージ。
【発明の詳細な説明】
【技術分野】
【０００１】
本発明は、食品を収容するための複数の収容部を備えた食品用パッケージに関する。
【背景技術】
【０００２】
従来から、例えば、冷凍食品や調理用の食品等を収容するために、食品用パッケージが用いられている（例えば、特許文献１参照）。この食品用パッケージは、外容器と、外容器内を各種の食材を収容するための複数の収容部に仕切る仕切と、外容器の上面開口を塞ぐプラスチックフィルムとで構成されている。そして、プラスチックフィルムにおける仕切りに対応する部分には、切断用のミシン目が施されており、ミシン目に沿ってプラスチックフィルムの各部分を切断して外容器から取り外すことにより各収容部を開封してその内部の食材を適宜取り出せるようになっている。
【特許文献１】特開２０００−３１８７７９号公報
【発明の開示】
【０００３】
このような食品用パッケージの中には、同一の食品を各収容部に一食分ずつ収容して、一食分の食品を取り出す際には、一つの収容部だけを開封し、食品用パッケージの各収容部に収容された食品を全部取り出す際には、蓋部を一度に取り外して、全ての収容部を開封することが好ましいものがある。しかしながら、前述した従来の食品用パッケージは、各収容部を一つずつ開封して異なる食材を順次取り出すことが好ましいように構成されているため、一度に全ての収容部を開封してすべての食品を取り出すといった使用方法には、不向きであるという問題がある。
【０００４】
本発明は、前述した問題に対処するためになされたもので、その目的は、複数の収容部内に収容した食品を使用に応じて任意に取り出すことのできる食品用パッケージを提供することである。
【０００５】
前述した目的を達成するため、本発明に係る食品用パッケージの構成上の特徴は、上面が開口した複数の収容部の開口縁部を、接続部を介して接続することにより、複数の収容部を一列に並べて形成したパッケージ本体と、パッケージ本体の外周縁部および接続部に貼り付けられて複数の収容部をそれぞれ閉塞するシール状の蓋部とからなり、蓋部をパッケージ本体から剥離することにより、パッケージ本体の各収容部を開封できる食品用パッケージであって、蓋部における接続部に対応する部分に、蓋部を各収容部に対応する部分ごとに区切る蓋切断用切込線を設けるとともに、蓋部における蓋切断用切込線で区切られた各部分の一方の縁部に、パッケージ本体の外周縁部に貼り付けられてない部分剥離開始部をそれぞれ設けて、部分剥離開始部を、パッケージ本体から引っ張ることにより、各収容部を開封できるようにし、蓋部における他方の縁部に、パッケージ本体の外周縁部に貼り付けられてない全体剥離開始部を設けて、全体剥離開始部をパッケージ本体から引っ張ることにより、パッケージ本体全体を開封できるようにしたことにある。
【０００６】
前述したように構成した本発明の食品用パッケージでは、部分剥離開始部を、パッケージ本体から引っ張ることにより、所定の収容部をそれぞれ個別に開封することができる。この場合、部分剥離開始部が取り付けられた蓋部の部分を他の部分から引き裂くようにして、部分剥離開始部を蓋切断用切込線に沿って引っ張ることによりスムーズな開封が行える。さらに、本発明の食品パッケージは、全体剥離開始部を蓋部の他方の縁部から一方に向けて引っ張ることにより、パッケージ本体の全体を開封できるように構成されている。したがって、各収容部に異なる食品が収容されている場合には使用する食品だけを任意に取り出すことができ、各収容部に同じ食品が収容されている場合には使用する量だけを任意に取り出すことができる。
【０００７】
また、この場合の蓋部に設ける蓋切断用切込線としては、例えば、ミシン目の切込線や溝状の切込線を用いることができる。そして、蓋切断用切込線は、蓋部における所定の収容部を閉塞する部分の部分剥離開始部を、その収容部に隣接する収容部を閉塞する部分から引き裂くように引っ張る際には、容易に切断され、全体剥離開始部を蓋部の他方の縁部から一方に向けてパッケージ本体から引っ張る際には切断され難くなるように構成する。これは、蓋切断用切込線をミシン目で構成した場合には、ミシン目の切断部と接続部との長さの比率を調節することによって行い、蓋切断用切込線を溝状の切込で構成した場合には、その切込の深さで調節する。
【０００８】
また、部分剥離開始部および全体剥離開始部は、例えば、蓋部の各収容部に対応する部分の角部や蓋部の角部に、パッケージ本体の外周部上に位置しながらパッケージ本体に接着されていない部分を設けたり、パッケージ本体の外周部から外部に向けて突出した部分を設けたりすることによって形成することができる。さらに、部分剥離開始部および全体剥離開始部は、手で持ちやすいように棒状等の形状にすることもできる。
【０００９】
また、本発明に係る食品用パッケージの他の構成上の特徴は、接続部における蓋部の蓋切断用切込線に対応する部分に、収容部分離用切込線を設けて、所定の収容部をパッケージ本体における他の部分から分離可能にしたことにある。これによると、所定の収容部を蓋部の一部で閉塞したままパッケージ本体および蓋部における他の部分から分離したり、蓋部を取り外した状態の所定の収容部をパッケージ本体の他の部分から分離したりすることができる。このため、食品が取り出された空の収容部を他の食品が収容された収容部から分離して、無駄な部分を無くした状態で残りの収容部を冷蔵庫等に保管したり、食品が収容された収容部を分離して収容しやすいように並び替えて保管したりすることができる。このため、使用方法に多様性が生じ、使い勝手がよくなる。
【００１０】
また、本発明に係る食品用パッケージのさらに他の構成上の特徴は、蓋部における蓋切断用切込線の一方の端部側部分および接続部における収容部分離用切込線の一方の端部側部分の少なくとも一方に切欠き部を形成したことにある。
【００１１】
これによると、蓋切断用切込線または収容部分離用切込線に沿った蓋部または収容部の分離が容易になる。すなわち、パッケージ本体の接続部に切欠き部を形成した場合には、所定の収容部を他の収容部から分離させる際に、所定の収容部の一方側を他の収容部の一方側から引き離すように引っ張るとまず切欠き部に力が加わり、収容部分離用切込線は切欠き部側からスムーズに切断されていく。また、蓋部に切欠き部を形成した場合には、切欠き部が、蓋部における部分剥離開始部が設けられた縁部と同じ側に位置するようになる。このため、部分剥離開始部を持って蓋部の所定部分を他の部分から引っ張るとまず切欠き部に力が加わり、蓋切断用切込線は切欠き部側から他方に向かってスムーズに切断されていく。
【００１２】
さらに、パッケージ本体の接続部と蓋部との双方に切欠き部を形成した場合には、各収容部を蓋部で閉塞したままで分離させる際の分離がスムーズに行える。また、この場合の切欠き部の形状は、種々の形状にすることができ、切欠き部の縁部における蓋切断用切込線または収容部分離用切込線に交差する部分は、角部に形成してもよいし滑らかな曲部に形成してもよい。ただし、この切欠き部の形状や大きさは、全体剥離開始部を引っ張ってパッケージ本体全体を開封する際に、支障がでないようにして設定する。
【００１３】
本発明に係る食品用パッケージのさらに他の構成上の特徴は、蓋部における外周部の厚みを蓋部の他の部分の厚みよりも厚くしたことにある。これによると、蓋部の全体剥離開始部をパッケージ本体から引っ張って、パッケージ本体全体を開封する際の操作が容易になるとともに、蓋部をパッケージ本体から確実に取り外すことができる。すなわち、蓋部の外周部の肉厚が大きくなるとその部分の強度も大きくなる。したがって、全体剥離開始部を持って蓋部を素早く引っ張っても蓋部が引き裂かれ難くなり難くなり、確実な開封が可能になる。また、部分剥離開始部を引っ張って各収容部を開封する場合には、部分剥離開始部を蓋切断用切込線に沿って引っ張ることにより、途中に肉厚部分があっても切断に支障は生じない。
【００１４】
本発明に係る食品用パッケージのさらに他の構成上の特徴は、蓋切断用切込線を断続的に形成されたミシン目の切込線で構成し、切込線の切れ目部分が蓋部における外周部の肉厚部と他の薄肉部分とにかかるようにしたことにある。これによると、部分剥離開始部を引っ張って各収容部を開封する場合に、外周部の切断をスムーズに行える。すなわち、蓋切断用切込線の部分剥離開始部側部分は、肉厚の外周部が形成されていてもその部分に部分剥離開始部や切欠き部が形成されているためスムーズに切断される。また、蓋部の他方側の薄肉部から肉厚部にかかる部分には、ミシン目の切れ目部分がかかっているためその肉厚部にも切れ目が容易に入りそのまま部分剥離開始部を引っ張ることにより、外周部も容易に切断される。
【００１５】
本発明に係る食品用パッケージのさらに他の構成上の特徴は、蓋部における部分剥離開始部の近傍に部分剥離開始を引っ張る際の方向を示す矢印を施すとともに、蓋部における全体剥離開始部の近傍に全体剥離開始部を引っ張る際の方向を示す矢印を施したことにある。これによると、開封時の操作を間違いなく行える。さらに、矢印の近傍に注意書き等を表示するとより効果が大になる。
【００１６】
本発明に係る食品用パッケージのさらに他の構成上の特徴は、食品用パッケージが麺食品を収容するための平面視が四角状の容器であり、パッケージ本体が、長細く形成された複数の収容部を長手方向の縁部を接続部で接続して形成されていることにある。一般に、冷凍麺や乾麺等の麺食品は、曲げて塊りになった状態で保管すると冷凍麺または乾麺の曲がった部分に折れが生じやすくなる。本発明では、収容部を細長くしたため麺食品を長手方向に沿わせて収容することができる。このため、折れの発生を防止でき商品価値を低下させることなく麺食品を収容することができる。また、この場合、各収容部に同じ麺食品を収容したり、色の異なる、例えば、収容部を５個設け、五色の麺食品を収容したりすることもできる。
【発明を実施するための最良の形態】
【００１７】
（第１実施形態）
以下、本発明の第１実施形態を図面を用いて説明する。図１および図２は、本発明に係る食品用パッケージ１０を示している。この食品用パッケージ１０は、生麺１１を収容するためのものであり、上面が開口したパッケージ本体１２と、パッケージ本体１２の開口部を閉塞するシール状の蓋部１３とで構成されている。パッケージ本体１２は、透明のポリプロピレンで構成されており、図３ないし図５に示したように、前後方向の長さが長くなった細長の５個の収容部１４の開口の長手方向に沿った縁部を平面状の接続部１５で接続して形成されている。そして、パッケージ本体１２の上面における外周には、フランジ状の外周縁部１６が形成されている。
【００１８】
各収容部１４はそれぞれ同一形状に形成され、左右方向の幅が、上部が大きく下部側が下方に行くほど徐々に小さくなるように設定されて断面形状が台形に形成されている。また、前後方向の長さは、上部および下部ともに同じ長さに設定されている。そして、各収容部１４の内部に、前後方向に延ばした状態で生麺１１が収容されている。生麺１１は、それぞれ異なる５色の色に着色されており、各収容部１４に一食分ずつ異なる色の生麺１１が収容されている。
【００１９】
また、パッケージ本体１２の外周縁部１６における接続部１５の一方の端部と交差する部分にそれぞれ切欠き部１７が形成されている。この切欠き部１７は、外部側が幅広で、内部側にいくほど先細りになった平面視が略三角形の凹部からなっており、その奥端（内部側の端部）から、パッケージ本体１２の他端に向かってミシン目の収容部分離用切込線１８が、接続部１５の長手方向に沿って接続部１５の中央部に形成されている。
【００２０】
蓋部１３は、透明のポリエチレンからなるシール材で構成されており、平面視がパッケージ本体１２の上面の外郭部と同形に形成されている。すなわち、蓋部１３の一方の縁部には、切欠き部１７と同形の切欠き部１９が、各切欠き部１７間と同間隔で形成されており、その奥端から、蓋部１３の他端に向かってミシン目の蓋切断用切込線２１が形成されている。また、図４ないし図６に示したように、蓋部１３の外周部１３ａは、蓋部１３の中央側部分１３ｂよりも肉厚が厚く形成されている。そして、外周部１３ａと中央側部分１３ｂとの境界部に位置する各蓋切断用切込線２１の切れ目部分は、外周部１３ａと中央側部分１３ｂとの双方にかかるように形成されている。
【００２１】
そして、蓋部１３は、図７に示したようにして、パッケージ本体１２の上面に貼り付けられている。すなわち、蓋部１３におけるパッケージ本体１２の接続部１５と外周縁部１６とに対応する部分は、ローレット加工によってパッケージ本体１２の接続部１５と外周縁部１６とに圧着されてその部分に圧着部２２が形成されている。そして、さらに、圧着部２２における各収容部１４の開口縁部の周囲近傍に、溶着加工によって完全密着された溶着部２３が形成されている。また、溶着部２３の一方側の右端の角部には、突部からなる開封誘導加工部２３ａが切欠き部１９に向かって形成されている。この圧着部２２と溶着部２３とによって、各収容部１４の内部は、開封されるまで密閉状態に維持される。
【００２２】
また、蓋部１３の一方側の縁部における各蓋切断用切込線２１の左側部分と蓋部１３の一方の縁部の右端の角部とには、それぞれパッケージ本体１２に貼り付けられていない本発明の部分剥離開始部としての非接着部２４が形成されている。また、蓋部１３の他方の縁部の左端の角部には、パッケージ本体１２に貼り付けられていない本発明の全体剥離開始部としての非接着部２５が形成されている。非接着部２４は、対応する収容部１４を開封する際に引っ張られ、非接着部２５は、パッケージ本体１２全体を開封する際に引っ張られる。
【００２３】
そして、図８に示したように、蓋部１３の表面における蓋切断用切込線２１の部分には、各収容部１４を開封する際に蓋部１３の一端側部分を引っ張る方向を示した矢印ａおよび注意書きが印刷されており、蓋部１３の表面における非接着部２４の近傍には、非接着部２４を引っ張る際の方向を示した矢印ｂおよび注意書きが印刷されている。そして、蓋部１３の表面における非接着部２５の近傍には、パッケージ本体１２全体を開封する際に非接着部２５を引っ張る方向を示した矢印ｃおよび注意書きが印刷されている。なお、食品用パッケージ１０は、幅が３１８ｍｍ、前後方向の長さが２３８ｍｍ、高さが４０ｍｍに設定されている。
【００２４】
このように構成したため、各収容部１４内に収容された生麺１１は、密閉され鮮度を保った状態で保管される。そして、使用の際には、蓋部１３をパッケージ本体１２から取り外して、各収容部１４内の生麺１１を取り出す。その際、一食分だけの生麺１１を取り出す場合には、例えば、図９に示した右端の非接着部２４を矢印ｄの方向に引っ張る。これによって、蓋部１３の右端の部分は、蓋切断用切込線２１に沿って蓋部１３の他の部分から引き裂かれながらパッケージ本体１２から剥離されていく。この場合、パッケージ本体１２と蓋部１３との間に、非接着部２４および開封誘導加工部２３ａが形成されているため開封初期の開封方向が自然に定まり、その後の開封もスムーズに行える。
【００２５】
また、蓋部１３の外周部１３ａと中央側部分１３ｂとの双方に蓋切断用切込線２１の切れ目部分がかかるため、外周部１３ａの切断もスムーズに行える。そして、蓋部１３の右端部分が取り除かれ、右端の収容部１４が開封されると内部の生麺１１を取り出す。また、生麺１１が取り出された右端の収容部１４は、収容部分離用切込線１８に沿って引き裂くことによりパッケージ本体１２の他の部分から分離して廃棄する。そして、残りのパッケージ本体１２は、冷蔵庫等に収容しておく。この場合、冷蔵庫等の内部にデッドスペースが生じないため、冷蔵庫等内の収容スペースを有効に利用できる。また、残りのパッケージ本体１２内の生麺１１は密閉状態に保持されているため、鮮度が落ちない。
【００２６】
また、５食分の生麺１１を一度に取り出す場合には、図９に示した蓋部１３の他方の縁部の左端の非接着部２５を矢印ｅの方向に引っ張る。これによって、蓋部１３は、蓋部１３の他方左端の部分から一方右端に向かってパッケージ本体１２から剥離されていく。この場合、蓋部１３をパッケージ本体１２から剥離する方向と、蓋切断用切込線２１との間に所定角度が設けられているため、蓋切断用切込線２１を切断する方向の力が弱められ蓋切断用切込線２１が切断されることが防止される。また、蓋部１３の外周部１３ａが肉厚に形成されているため強度が強くなって、蓋部１３が不用意に切断されることがなくなりスムーズに剥離される。
【００２７】
以上のように、本実施形態に係る食品用パッケージ１０では、非接着部２４を、蓋切断用切込線２１に沿ってパッケージ本体１２から引っ張ることにより、所定の収容部１４をそれぞれ個別に開封することができる。また、非接着部２５をパッケージ本体１２から引っ張ることにより、パッケージ本体１２全体を開封できるように構成されている。したがって、各収容部１４に収容された生麺１１を使用する任意の量だけ取り出すことができる。また、空になった収容部１４は、切り離して廃棄することができるため、生麺１１が収容された残りの収容部１４を冷蔵庫等の小さなスペースに収容して保管することができる。
【００２８】
また、蓋部１３における蓋切断用切込線２１の一方の端部に切欠き部１７を設け、パッケージ本体１２の接続部１５における収容部分離用切込線１８の一方の端部に切欠き部１９を設けたため、蓋部１３の各部分の切断および各収容部１４の切り離しがスムーズに行える。さらに、蓋部１３の外周部１３ａの厚みを中央側部分１３ｂの厚みよりも厚くしたため、非接着部２５をパッケージ本体１２から引っ張って、パッケージ本体１２全体を開封する際の操作が容易になるとともに、蓋部１３をパッケージ本体１２から確実に取り外すことができる。
【００２９】
また、蓋切断用切込線２１の切れ目部分が蓋部１３の外周部１３ａと中央側部分１３ｂとにかかるようにしたため、非接着部２４を引っ張って各収容部１４を開封する場合の外周部１３ａの切断がスムーズに行える。さらに、蓋部１３の表面に、蓋部１３を剥離する際に非接着部２４，２５を引っ張る方向を示す矢印ｂ，ｃや蓋切断用切込線２１の切断方向を示す矢印ａを印刷しているため、開封時の操作を間違いなく行える。また、パッケージ本体１２が、長細く形成された複数の収容部１４を長手方向の縁部を接続部１５で接続して形成されているため、細長い生麺１１を収容するために適したものとなる。
【００３０】
（第２実施形態）
図１０は、本発明の第２実施形態に係る食品用パッケージ３０を示している。この食品用パッケージ３０では、収容部３４の幅方向の断面形状が略半円状になるように構成されている。また、蓋部３３の厚みは均一にされ、パッケージ本体３２と蓋部３３との間には、溶着部は設けられていない。この食品用パッケージ３０のそれ以外の部分の構成は、前述した食品用パッケージ１０の対応する部分と同一である。したがって、同一部分に同一符号を記して説明は省略する。
【００３１】
このように、この食品用パッケージ３０では、溶着部を設けていないため、蓋部３３がパッケージ本体３２から剥がしやすくなる。このため、蓋部３３に肉厚の外周部を設けなくとも、蓋部３３をスムーズにパッケージ本体３２から剥離することができる。この食品用パッケージ３０のそれ以外の作用効果については、前述した食品用パッケージ１０と同様である。
【００３２】
（第３実施形態）
図１１は、本発明の第３実施形態に係る食品用パッケージ４０を示している。この食品用パッケージ４０では、収容部４４の幅方向の断面形状が略三角形になるように構成されている。この食品用パッケージ４０のそれ以外の部分の構成は、前述した食品用パッケージ３０の対応する部分と同一である。したがって、同一部分に同一符号を記して説明は省略する。
【００３３】
このように、この食品用パッケージ４０では、収容部４４の幅方向の断面形状を略三角形にしているため、一方の食品用パッケージ４０を上下逆向きにして設置場所に設置すると、その収容部４４，４４間に他方の食品用パッケージ４０の収容部４４を位置させた状態で他の食品用パッケージ４０を一方の食品用パッケージ４０の上に重ねて設置することができる。このため、複数の食品用パッケージ４０を積み重ねて保管する際の保管スペースが少なくて済む。この食品用パッケージ４０のそれ以外の作用効果については、前述した食品用パッケージ３０と同様である。
【００３４】
また、本発明に係る食品用パッケージは、前述した各実施形態に限定するものでなく適宜、変更して実施することができる。例えば、前述した実施形態では、パッケージ本体１２，３２をポリプロピレンで構成し、蓋部１３，３３をポリエチレンで構成しているが、これらを構成する材料としては、他のポリスチレンやポリアミド等のプラスチックでもよいし、紙からなる材料を用いることもできる。また、収容部分離用切込線１８や蓋切断用切込線２１はミシン目の切込線に限らず、例えば、Ｖ溝状の切込線等を用いることもできる。
【００３５】
さらに、前述した実施形態では、非接着部２５を、蓋部１３，３３の一方側左端の角部に設けているが、この全体剥離開始部としての非接着部は、蓋部１３，３３の他端側縁部の中央に設けてもよいし、その大きさも複数の収容部１４等にかかるような大きなもので構成してもよい。また、非接着部２４，２５に代えて外部に突出した突部を用いてもよい。食品用パッケージに収容する食品としても生麺１１に限らず、種々の食品を用いることができる。また、その場合、収容部の形状や大きさもその食品の形状に合わせて適宜変更することができる。さらに、食品用パッケージ全体の形状や大きさも適宜変更することができる。
【図面の簡単な説明】
【００３６】
【図１】本発明の第１実施形態に係る食品用パッケージを示した斜視図である。
【図２】食品用パッケージを示した分解斜視図である。
【図３】食品用パッケージを示した平面図である。
【図４】食品用パッケージを示した正面図である。
【図５】食品用パッケージを示した側面図である。
【図６】蓋部を示した平面図である。
【図７】パッケージ本体と蓋部との接着状態を示した平面図である。
【図８】蓋部に印刷された表示を示した平面図である。
【図９】パッケージ本体から蓋部を剥離する状態を示した斜視図である。
【図１０】本発明の第２実施形態に係る食品用パッケージを示した斜視図である。
【図１１】本発明の第３実施形態に係る食品用パッケージを示した斜視図である。
【符号の説明】
【００３７】
１０，３０，４０…食品用パッケージ、１１…生麺、１２，３２…パッケージ本体、１３，３３…蓋部、１３ａ…外周部、１３ｂ…中央側部分、１４，３４，４４…収容部、１５…接続部、１６…外周縁部、１７，１９…切欠き部、１８…収容部分離用切込線、２１…蓋切断用切込線、２２…圧着部、２４，２５…非接着部、ｂ，ｃ…矢印。
【図１】
2007022635.tif 000003
【図２】
2007022635.tif 000004
【図３】
2007022635.tif 000005
【図４】
2007022635.tif 000006
【図５】
2007022635.tif 000007
【図６】
2007022635.tif 000008
【図７】
2007022635.tif 000009
【図８】
2007022635.tif 000010
【図９】
2007022635.tif 000011
【図１０】
2007022635.tif 000012
【図１１】
2007022635.tif 000013